(57)【要約】      （修正有）【課題】ユーザは、身体が伸び広がられ、倒立可能であり、按摩を受け可能である伸び広がり機能付き按摩椅子を提供する。【解決手段】按摩椅子は、按摩椅子台座１と、引張構造２と、按摩構造を含む。引張構造２は、上面が円弧面である固定枠構造２１と、固定枠構造２１に摺動可能に設けられる背部摺動台２３１及び腿部摺動台２３３を含む摺動台構造２３とを含む。按摩構造は、背部摺動台２３１に設けられる背部転がり按摩構造３１と、腿部摺動台２３３に設けられる腿部摩擦構造３３とを含む。【選択図】図１
0003175548.tif 000002
【実用新案登録請求の範囲】
【請求項１】
按摩椅子台座と、
前記按摩椅子台座に設けられ、固定枠構造と、摺動台構造と、を含み、前記固定枠構造の上面が円弧面であり、前記摺動台構造は、前記固定枠構造に摺動可能に設けられる、背部摺動台と、腿部摺動台と、を含み、第１伝動装置により、前記背部摺動台及び前記腿部摺動台が前記固定枠構造の前記円弧面に沿って移動でき、ユーザの身体を引っ張り、又は倒立できる引張構造と、
背部転がり按摩構造と、腿部按摩構造と、を含み、前記背部転がり按摩構造は、前記背部摺動台に設けられ、背部転がり用モータと、按摩ローラユニットと、を含み、前記背部転がり用モータは、前記按摩ローラユニットと電気的に接続し、前記按摩ローラユニットを駆動して上下動でき、ユーザに揉み按摩を加えることができ、前記腿部按摩構造は、前記腿部摺動台に設けられ、ユーザに按摩を加えることができ、エアバッグと、充気装置と、を含み、ユーザが倒立しているときに、ユーザの腿部を挟んで固定できる按摩構造と、
を含むことを特徴とする伸び広がり機能付き按摩椅子。
【請求項２】
前記固定枠構造に第１ラックが設けられ、前記摺動台構造の両側には、互いに対応する第１ギヤが設けられ、前記第１伝動装置は、モータと、伝動ベルトと、伝動ホイールと、を含み、前記モータによって前記伝動ベルトと前記伝動ホイールを駆動しているときには、前記伝動ホイールが前記第１ギヤを回転して、前記摺動台構造が前記固定枠構造を移動可能であり、前記背部転がり用モータは、更に、移動台を含み、前記移動台の両側に第２ギヤがそれぞれ設けられ、前記背部摺動台には、前記第２ギヤに対応する第２ラックが設けられ、これにより、前記摺動台が前記背部摺動台の上で移動可能であり、前記按摩ローラユニットは前記摺動台に設けられ、前記背部転がり用モータにより、前記摺動台と前記按摩ローラユニットが駆動されて移動可能であることを特徴とする、請求項１に記載の伸び広がり機能付き按摩椅子。
【請求項３】
前記背部摺動台の両側に手摺がそれぞれ設けられ、前記手摺は螺子によって前記背部摺動台に締結されることを特徴とする、請求項１に記載の伸び広がり機能付き按摩椅子。
【考案の詳細な説明】
【技術分野】
【０００１】
本考案は、按摩椅子に関し、特に、円弧形を呈する上面を有し、上面に横たわるユーザは、身体が伸び広がられ、筋肉が引張られ、倒立可能であり、按摩を受け可能である伸び広がり機能付き按摩椅子に関するものである。
【背景技術】
【０００２】
従来の按摩椅子及び按摩ベッドの利用方式が限られるため、ユーザの身体は有効にリラックスすることができない。このような問題を解決するために、本願の出願者は図７及び図８に示す按摩椅子を提案した。このような按摩椅子は、その上で複数のローラが設けられる台座６と、台座６に摺動可能に設けられる引張構造７と、を含む。引張構造７には、ユーザを按摩できる、背部転がり按摩構造７１と、腿部按摩構造７２と、が設けられる。上昇用モータ８及びピストンにより、台座６の円弧形を呈する上面は引張構造７を駆動して、引張構造７が台座６の上で移動可能である。これにより、このような按摩椅子に横たわっているユーザは、身体が伸び広がられ、筋肉が引張られる。
【０００３】
しかし、上記の按摩椅子によれば、稼動している上昇用モータ８及びピストンは騒音を発生し、前記ピストンを長期間に利用されたと、エアが漏れやすいため、押え力が不足となり、且つユーザの体重により、台座が移動して、按摩椅子の本来の引張機能が喪失してしまい。そして上昇用モータとピストンの組合の作動は定点で移動するため、ユーザの必要によって台座の移動方式を調整できない問題があった。
【考案の概要】
【考案が解決しようとする課題】
【０００４】
本考案の主な目的は、円弧形を呈する上面を有し、上面に横たわるユーザは、身体が伸び広がられ、筋肉が引張られ、倒立可能であり、按摩を受け可能である伸び広がり機能付き按摩椅子を提供することにある。
【課題を解決するための手段】
【０００５】
本考案の伸び広がり機能付き按摩椅子によると、按摩椅子台座と、
按摩椅子台座に設けられ、固定枠構造と、摺動台構造と、を含み、固定枠構造の上面が円弧面であり、摺動台構造は、固定枠構造に摺動可能に設けられる、背部摺動台と、腿部摺動台と、を含み、第１伝動装置により、背部摺動台及び腿部摺動台が固定枠構造の円弧面に沿って移動でき、ユーザの身体を引っ張り、又は倒立できる引張構造と、
背部転がり按摩構造と、腿部按摩構造と、を含み、背部転がり按摩構造は、背部摺動台に設けられ、背部転がり用モータと、按摩ローラユニットと、を含み、背部転がり用モータは、按摩ローラユニットと電気的に接続し、按摩ローラユニットを駆動して上下動でき、ユーザに揉み按摩を加えることができ、腿部按摩構造は、腿部摺動台に設けられ、ユーザに按摩を加えることができ、エアバッグと、充気装置と、を含み、ユーザが倒立しているときに、ユーザの腿部を挟んで固定できる按摩構造と、
を含むことを特徴とする。
【０００６】
本考案の伸び広がり機能付き按摩椅子によると、固定枠構造に第１ラックが設けられ、摺動台構造の両側には、互いに対応する第１ギヤが設けられ、第１伝動装置は、モータと、伝動ベルトと、伝動ホイールと、を含み、モータによって伝動ベルトと伝動ホイールを駆動しているときには、伝動ホイールが第１ギヤを回転して、摺動台構造が固定枠構造を移動可能であり、背部転がり用モータは、更に、移動台を含み、移動台の両側に第２ギヤがそれぞれ設けられ、背部摺動台には、第２ギヤに対応する第２ラックが設けられ、これにより、摺動台が背部摺動台の上で移動可能であり、按摩ローラユニットは摺動台に設けられ、背部転がり用モータにより、摺動台と按摩ローラユニットが駆動されて移動可能であることを特徴とする。
【０００７】
本考案の伸び広がり機能付き按摩椅子によると、背部摺動台の両側に手摺がそれぞれ設けられ、手摺は螺子によって背部摺動台に締結されることを特徴とする。
【考案の効果】
【０００８】
本考案の伸び広がり機能付き按摩椅子によれば、次のような効果がある。
（１）円弧形を呈する上面を有する固定枠構造の上で摺動台構造を移動できるため、ユーザは、身体が伸び広がられ、筋肉が引張られ、倒立可能である。
【０００９】
（２）本考案の背部転がり按摩構造及び腿部按摩構造により、ユーザの背部、臀部及び腿部を按摩できる。
【００１０】
（３）ユーザは必要によって引張機能又は倒立機能を選択して利用可能であり、そして全身又は身体の局部を按摩することもできるため、ユーザは有効にリラックスすることができる。
【００１１】
（４）ギヤとラックの組合を採用するため、伝動が精確となり、ユーザは必要によって伝動ストロークを選択でき、伝動の過程中に、ユーザの体重による変位が発生せず、且つ騒音が発生しない。
【図面の簡単な説明】
【００１２】
【図１】本考案の一実施例を示す斜視図である。
【図２】本考案の第１伝動装置を示す模式図である。
【図２Ａ】本考案の第１伝動装置の一部を示す拡大図である。
【図３】本考案の背部転がり按摩構造を示す模式図である。
【図３Ａ】本考案の背部転がり按摩構造の一部を示す拡大図である。
【図４】本考案の一実施例の使用状態を示す模式図１である。
【図５】本考案の一実施例の使用状態を示す模式図２である。
【図６】本考案の一実施例の使用状態を示す模式図３である。
【図７】従来の按摩椅子を示す斜視図である。
【図８】図７の内部の構造を示す模式図である。
【考案を実施するための形態】
【００１３】
以下、本考案の実施の形態を図面に基づいて説明する。
まず、図１乃至図６を参照する。本考案の一実施例の伸び広がり機能付き按摩椅子は、按摩椅子台座１と、引張構造２と、按摩構造３と、を含む。引張構造２は、按摩椅子台座１に設けられ、固定枠構造２１と、摺動台構造２３と、を含む。固定枠構造２１の上面は円弧面である。摺動台構造２３は、固定枠構造２１に摺動可能に設けられる、背部摺動台２３１と、腿部摺動台２３３と、を含む。図１、図２及び図２Ａを参照する。固定枠構造２１と摺動台構造２３との下面の構成をはっきり表示するために、図２において、摺動台構造２３の一部が剖開される。固定枠構造２１に第１ラック２１１が設けられる。摺動台構造２３の両側には、第１ラック２１１に対応する第１ギヤ２３０が設けられる。第１伝動装置２５は、モータ２５１と、伝動ベルト２５３と、伝動ホイール２５５と、を含む。モータ２５１によって伝動ベルト２５３と伝動ホイール２５５を駆動しているときには、伝動ホイール２５５が第１ギヤ２３０を回転して、摺動台構造２３の背部摺動台２３１及び腿部摺動台２３３が固定枠構造２１の上面に沿って移動可能である。このように、ユーザは、身体が伸び広がられ、倒立可能である。また、背部摺動台２３１の両側に手摺２３２がそれぞれ設けられる。背部摺動台２３１に横たわっているときに、ユーザは手摺２３２を利用できる。按摩構造３は、背部転がり按摩構造３１と、腿部按摩構造３３と、を含む。背部転がり按摩構造３１は背部摺動台２３１に設けられる。図３及び図３Ａを参照する。背部転がり用モータ３１は、更に、移動台３１１を含む。移動台３１１の上で按摩ローラユニット３１２が設けられる。移動台３１１の両側に第２ギヤ３１３がそれぞれ設けられる。背部摺動台２３１には、第２ギヤ３１３に対応する第２ラック３１５が設けられる。背部転がり用モータ３１７により、移動台３１１及び按摩ローラユニット３１２は、背部摺動台２３１に移動しながら上下動でき、これにより、ユーザに揉み按摩を加えることができる。背部転がり按摩構造３１は、更に、背部振動モータを含む。これにより、按摩効果を増加できる。背部摺動台２３１の背部転がり按摩構造３１に対応する箇所では、軟性マッドを設けてもよい。腿部按摩構造３３は、腿部摺動台２３３に設けられ、エアバッグ３３１と、充気装置３３３と、を含む。エアバッグ３３１にエアを充気して放出しているときには、ユーザに按摩を加えることができる。ユーザが倒立しているときには、充気装置３３３によりエアバッグ３３１が充気されて、ユーザの腿部をしっかりと挟むことができる。これにより、ユーザが滑って下ろすことを回避できる。腿部按摩構造３３に腿部振動モータを設けてもよい。このように、腿部に対する按摩効果を増加できる。
【００１４】
引張構造２と按摩構造３は、図１に示すように、更に、コントローラ４０を含む。コントローラ４０により、ユーザは摺動台構造２３の移動方向及び移動角度を制御でき、或いは按摩構造３の按摩力の強さ及び速度を制御できる。コントローラ４０は袋構造４１に収容され可能である。袋構造４１は按摩椅子台座１の側面に設けられる。
【００１５】
背部摺動台２３１のユーザが横たわり可能な位置には、図４に示すように、軟性マッド５１が設けられる。ジッパー又はマジックテープ（登録商標）などの固定構造により、背部摺動台２３１に軟性マッド５１を固定できる。また、図５及び図６に示すように、背部摺動台２３１の上方に収納ボックス５１を設けてもよい。収納ボックス５１は、軟性マッド５１、毛布やヘッド支持パッドなどを収納可能である。
【００１６】
図１、図４乃至図６を参照する。本考案の一実施例の伸び広がり機能付き按摩椅子によれば、円弧形を呈する上面を有する固定枠構造２１の上で摺動台構造２３を移動できるため、ユーザは、身体が伸び広がられ、筋肉が引張られ、倒立可能であり、背部転がり按摩構造３１及び腿部按摩構造３３により、ユーザの背部、臀部及び腿部を按摩でき、また、ギヤとラックの組合を採用するため、摺動台構造２３が固定枠構造２１を移動し、又は移動台３１１に背部摺動台２３１が移動しているときには、伝動が精確となり、ユーザは必要によって伝動ストロークを選択でき、伝動の過程中に、ユーザの体重による変位が発生せず、且つ騒音が発生しない。
【００１７】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００１８】
本考案は、按摩椅子に適用することができる。
【符号の説明】
【００１９】
１：按摩椅子台座
２：引張構造
３：按摩構造
６：台座
７：引張構造
８：上昇用モータ
２１：固定枠構造
２３：摺動台構造
２５：第１伝動装置
３１：背部転がり按摩構造
３３：腿部按摩構造
４０：コントローラ
４１：袋構造
５１：軟性マッド
７１：背部転がり按摩構造
７２：腿部按摩構造
２１１：第１ラック
２３０：第１ギヤ
２３１：背部摺動台
２３２：手摺
２３３：腿部摺動台
２３５：収納ボックス
２５１：モータ
２５３：伝動ベルト
２５５：伝動ホイール
３１１：移動台
３１２：按摩ローラユニット
３１３：第２ギヤ
３１５：第２ラック
３１７：背部転がり用モータ
３３１：エアバッグ
３３３：充気装置
【図１】
0003175548.tif 000003
【図２】
0003175548.tif 000004
【図２Ａ】
0003175548.tif 000005
【図３】
0003175548.tif 000006
【図３Ａ】
0003175548.tif 000007
【図４】
0003175548.tif 000008
【図５】
0003175548.tif 000009
【図６】
0003175548.tif 000010
【図７】
0003175548.tif 000011
【図８】
0003175548.tif 000012